(57)【要約】【課題】特定入賞部品に入賞した１個の球が複数の可変入賞部品の開閉体を適正に開閉する。【解決手段】１個の球が特定入賞部品３に入賞すると、当該１個の球が電気を使用しない機械的な機構により構成された昇降籠２８に載って昇降籠２８を下降し、下降する昇降籠２８が電気を使用しない機械的な機構により構成された連動入賞機構２９；３０で動き、連動入賞機構２９；３０が可変入賞部品４乃至７の開閉体１６乃至１９を開放するので、球が２本のレバー５０；５４の間に詰まることがなく、適正な遊技を継続することができる。【選択図】図１
2007312946.tif 000002
【特許請求の範囲】
【請求項１】
特定入賞部品と複数の可変入賞部品とが遊技基盤の遊技領域に設けられ、遊技基盤の裏側には昇降籠と複数の連動入賞機構とが設けられ、特定入賞部品と複数の可変入賞部品と昇降籠と複数の連動入賞機構とが電気を使用しない機械的な機構により構成され、特定入賞部品は遊技領域から取り入れた球を遊技基盤の裏側に排出し、特定入賞部品から排出された球が昇降籠に取り入れられることで昇降籠が下降し、その後、昇降籠から球が落下することで昇降籠がばねまたは錘で上昇し、複数の連動入賞機構が昇降籠の下降または昇降籠から落下した球によって複数の可変入賞部品の開閉体を開放し、開閉体の開放中に遊技領域から球が可変入賞部品に取り込まれることによって開閉体が閉じることを特徴とするパチンコ遊技機の遊技盤。
【発明の詳細な説明】
【技術分野】
【０００１】
本発明は、特定入賞部品に入賞した１個の球が複数の可変入賞部品の開閉体を適正に開閉するパチンコ遊技機の遊技盤に関する。
【背景技術】
【０００２】
パチンコ遊技機の遊技盤には、次の構造が知られている。それは、特定入賞部品に入賞した球が遊技基盤の裏側で落下する過程で２本のレバーを動かし、２本のレバーが２つの可変入賞部品の開閉体を開放するようになっている。しかしながら、１個の球が球通路を下降しつつ２本のレバーを同時に動かす構造であるため、球が２本のレバーを動かす途中で２本のレバーの間に詰まることがあり、球が２本のレバーの間に詰まると、それ以降、適正な遊技が継続できないという欠点がある。
【特許文献１】特公昭５７−１５９１９号公報
【発明の開示】
【発明が解決しようとする課題】
【０００３】
発明が解決しようとする問題点は、球が２本のレバーの間に詰まるという点である。
【課題を解決するための手段】
【０００４】
本発明に係るパチンコ遊技機の遊技盤は、特定入賞部品と複数の可変入賞部品とが遊技基盤の遊技領域に設けられ、遊技基盤の裏側には昇降籠と複数の連動入賞機構とが設けられ、特定入賞部品と複数の可変入賞部品と昇降籠と複数の連動入賞機構とが電気を使用しない機械的な機構により構成され、特定入賞部品は遊技領域から取り入れた球を遊技基盤の裏側に排出し、特定入賞部品から排出された球が昇降籠に取り入れられることで昇降籠が下降し、その後、昇降籠から球が落下することで昇降籠がばねまたは錘で上昇し、複数の連動入賞機構が昇降籠の下降または昇降籠から落下した球によって複数の可変入賞部品の開閉体を開放し、開閉体の開放中に遊技領域から球が可変入賞部品に取り込まれることによって開閉体が閉じることを最も主要な特徴とする。
【発明の効果】
【０００５】
本発明に係るパチンコ遊技機の遊技盤は、昇降籠に複数の連動入賞機構が連結されているので、特定入賞部品に入賞した１個の球が電気を使用しない機械的な機構により構成された昇降籠に載って昇降籠を下降し、下降する昇降籠が電気を使用しない機械的な機構により構成された複数の連動入賞機構を動かし、複数の連動入賞機構が複数の可変入賞部品の開閉体を開放するので、球が複数の連動機構の間に詰まることがなく、適正な遊技を継続することができるという利点がある。
【発明を実施するための最良の形態】
【０００６】
図１乃至図６は、発明を実施するための最良の形態である。図１のａ図は、遊技盤１の正面を示す。図１のｂ図は、遊技盤１の裏面を示す。図２は、パチンコ遊技機の正面を示す。図３のａ図およびｂ図は、可変入賞部品８１の内部構造を示す。図４のａ図乃至ｃ図は、連動入賞機構３０の動作を示す。図５のａ図乃至ｄ図は、可変入賞部品１０１の内部構造を示す。図６のａ図乃至ｅ図は、連動入賞機構３１；３２の動作を示す。本明細書において、「前」、「表」、「後」、「裏」、「左」、「右」、「上」、「下」の方向は、図２の状態に遊技盤１および遊技機枠６２を置いて図２の紙面の前側から見た場合に特定される方向である。「前」および「表」は、同じ方向である。「後」および「裏」は、同じ方向である。
【０００７】
図１を参照し、パチンコ遊技機の遊技盤１について説明する。図１のａ図において、遊技盤１は、遊技基盤２の前側に、特定入賞部品３、複数の可変入賞部品４；５；６；７；８；９；１０；１１；１２；１３；１４；１５を備える。可変入賞部品４乃至７は、開閉体１６；１７；１８；１９を個別に備える。可変入賞部品８乃至１５は、開閉体２０；２１；２２；２３；２４；２５；２６；２７を個別に備える。
【０００８】
図１のｂ図において、遊技基盤２の裏側には、昇降籠２８、連動入賞機構２９；３０；３１；３２、球通路３３；３４；３５；３６；３７、作動体３８；３９；４０；４１；４２；４３；４４；４５を備える。昇降籠２８は、遊技基盤２の裏面に対し昇降可能に構成され、球入口４８および球出口４９を備える。昇降籠２８には、図外のばねの弾性または錘の重さが、昇降籠２８を上昇する方向に付与される。昇降籠２８に付与されたばねの弾性または錘の重さは、昇降籠２８に搭載された１個の球の重さよりも小さい。
【０００９】
球が昇降籠２８に搭載されておらず、昇降籠２８が図外のばねの弾性または錘の重さで上昇限度位置に停止した場合、昇降籠２８の球入口４８が特定入賞部品３における遊技基盤２の裏側の球出口と前後方向で対向する。そして、特定入賞部品３の球出口から排出された球が球入口４８を経由して昇降籠２８に搭載されると、昇降籠２８が当該搭載された球の重さで上昇限度位置から下降して下降限度位置に停止する。昇降籠２８が上昇限度位置から下降限度位置に停止する場合、特定入賞部品３の球出口は、昇降籠２８の球入口４８よりも上部の部分で閉鎖される。上記昇降籠２８の下降限度位置への停止に伴い、球が昇降籠２８の球出口４９から球通路３３に排出されると、昇降籠２８が図外のばねの弾性または錘の重さで下降限度位置から上昇して上昇限度位置に復帰して停止する。昇降籠２８における上昇限度位置と下降限度位置との運動範囲は、遊技基盤２および昇降籠２８にわたり設けられた図外の溝と突起との嵌め合いからなる案内機構によって規制される。
【００１０】
連動入賞機構２９は、レバー５０および閉鎖支持体５１；５２を備える。レバー５０は、遊技基盤２の裏面に対しレバー軸５３を中心として上下方向に回転可能に構成される。レバー５０の一端部は、昇降籠２８に回転可能に連結される。そして、昇降籠２８が上昇限度位置から下降限度位置に下降する過程において、レバー５０がレバー軸５３を中心として回転し、レバー５０の他端部が上昇する過程において閉鎖支持体５１；５２を動かし、閉鎖支持体５１；５２が図１のａ図における開閉体１６；１７を開放し、可変入賞部品４；５が遊技基盤２の前側から球を入賞可能になる。
【００１１】
連動入賞機構３０は、レバー５４および閉鎖支持体５５；５６を備える。レバー３５は、遊技基盤２の裏面に対しレバー軸５７を中心として上下方向に回転可能に構成される。レバー５４の一端部は、昇降籠２８に回転可能に連結される。そして、昇降籠２８が上昇限度位置から下降限度位置に下降する過程において、レバー５４がレバー軸５７を中心として回転し、レバー５４の他端部が上昇する過程において閉鎖支持体５５；５６を動かし、閉鎖支持体５５；５６が図１のａ図における開閉体１８；１９を開放し、可変入賞部品６；７が遊技基盤２の前側から球を入賞可能になる。
【００１２】
連動入賞機構３１は、レバー５８を備える。レバー５８は、遊技基盤２の裏面に対しレバー軸５９を中心として上下方向に回転可能に構成される。レバー５８には、図外のばねの弾性または錘の重さが、レバー５８の一端部を跳ね上げる方向に付与される。レバー５８に付与されたばねの弾性または錘の重さは、球通路３３を落下する１個の球の重さよりも小さい。レバー５８の一端部は、球通路３３に上下方向に移動可能に配置される。そして、昇降籠２８の球出口４９から排出されて球通路３３を落下する球がレバー５８の一端部を押し下げると、レバー５８がレバー軸５９を中心として下方に回転し、レバー５８が作動体３８を動かし、作動体３８が図１のａ図における開閉体２０を開放し、可変入賞部品８が遊技基盤２の前側から球を入賞可能な形態に開放される。
【００１３】
連動入賞機構３２は、レバー６０を備える。レバー６０は、遊技基盤２の裏面に対しレバー軸６１を中心として上下方向に回転可能に構成される。レバー６０には、図外のばねの弾性または錘の重さが、レバー６０の一端部を跳ね上げる方向に付与される。レバー６０に付与されたばねの弾性または錘の重さは、球通路３３を落下する１個の球の重さよりも小さい。レバー６０の一端部は、球通路３３に上下方向に移動可能に配置される。そして、昇降籠２８の球出口４９から排出されて球通路３３を落下する球がレバー６０の一端部を押し下げると、レバー６０がレバー軸６１を中心として下方に回転し、レバー６０が作動体３９を動かし、作動体３９が図１のａ図における開閉体２１を開放し、可変入賞部品９が遊技基盤２の前側から球を入賞可能な形態に開放される。
【００１４】
レバー５８；６０を動かした球は、球通路３３を落下して作動体４０を動かし、作動体４０が図１のａ図における開閉体２２を開放し、可変入賞部品１０が遊技基盤２の前側から球を入賞可能になる。作動体４０を動かした球は、球通路３３を落下して作動体４１を動かし、作動体４１が図１のａ図における開閉体２３を開放し、可変入賞部品１１が遊技基盤２の前側から球を入賞可能な形態に開放される。
【００１５】
つまり、昇降籠２８に連動入賞機構２９；３０のレバー５０；５４が連結されているので、１個の球が特定入賞部品３に入賞すると、当該１個の球が電気を使用しない機械的な機構により構成された昇降籠２８に載って昇降籠２８を下降し、下降する昇降籠２８が電気を使用しない機械的な機構により構成された連動入賞機構２９；３０で動き、連動入賞機構２９；３０が４個の可変入賞部品４乃至７の開閉体１６乃至１９を開放するので、球が２本のレバー５０；５４の間に詰まることがなく、適正な遊技を継続することができるという利点がある。昇降籠２８から排出された１個の球が電気を使用しない機械的な機構により構成された連動入賞機構３１；３２を個別に順に動かし、連動入賞機構３１；３２が作動体３８；３９を動かした後、作動体４０；４１を個別に順に動かして、４個の可変入賞部品８乃至１１の開閉体２０乃至２３を開放する。よって、１個の球が特定入賞部品３に入賞すると、８個の可変入賞部品４乃至１１の開閉体１６乃至２３が開放するので、電気を使用しないで、１個の球の入賞に伴い、８個の可変入賞部品４乃至１１が球の入賞可能な形態になるという利点がある。
【００１６】
連動入賞機構２９；３０が昇降籠２８に連結されているので、４個の可変入賞部品４乃至６の開閉体１６乃至１９が同時に開放される。連動入賞機構３１のレバー５８の一端部が連動入賞機構３２のレバー６０の一端部よりも上になるように、レバー５８；６０が球通路３３に配置され、可変入賞部品８の開閉体２０が開放した後、可変入賞部品９の開閉体２１が開放するので、特定入賞部品３に入賞した球が遊技基盤２の裏側のどの位置を流下しているかを、遊技者が容易に把握できるという利点がある。レバー５８；６０を通過後に球通路３３を落下する球が作動体４０；４１を順々に動かし、可変入賞部品１０の開閉体２２が開放した後、可変入賞部品１１の開閉体２３が開放するので、特定入賞部品３に入賞した球が遊技基盤２の裏側のどの位置を流下しているかを、遊技者が容易に把握できるという利点がある。
【００１７】
開閉体１６；１７が開放された状態において、球が遊技基盤２の前側から可変入賞部品４または可変入賞部品５に入賞すると、当該球は入賞した可変入賞部品４または可変入賞部品５に該当する開閉体１６または開閉体１７を閉鎖し、可変入賞部品４または可変入賞部品５が球の入賞不可能な形態に閉鎖される。開閉体１６または開閉体１７を閉鎖した球は、遊技盤１の裏側に排出されて球通路３４を落下する。球通路３４を落下する球が作動体４２を動かし、作動体４２が図１のａ図における開閉体２４を開放し、可変入賞部品１２が遊技基盤２の前側から球を入賞可能な形態に開放される。
【００１８】
開閉体１８；１９が開放された状態において、球が遊技基盤２の前側から可変入賞部品６または可変入賞部品７に入賞すると、当該球が入賞した可変入賞部品６または可変入賞部品７に該当する電気を使用しない機械的な機構により構成された開閉体１８または電気を使用しない機械的な機構により構成された開閉体１９を閉鎖し、可変入賞部品６または可変入賞部品７が球の入賞不可能な形態に閉鎖される。開閉体１８または開閉体１９を閉鎖した球は、遊技盤１の裏側に排出されて球通路３５を落下する。球通路３５を落下する球が電気を使用しない機械的な機構により構成された作動体４３を動かし、作動体４３が図１のａ図における開閉体２５を開放し、可変入賞部品１３が遊技基盤２の前側から球を入賞可能な形態に開放される。
【００１９】
開閉体２０が開放された状態において、球が遊技基盤２の前側から可変入賞部品８に入賞すると、当該球が電気を使用しない機械的な機構により構成された開閉体２０を閉鎖し、可変入賞部品８が球の入賞不可能な形態に閉鎖される。開閉体２０を閉鎖した球は、遊技盤１の裏側に排出されて球通路３６を落下する。球通路３６を落下する球が電気を使用しない機械的な機構により構成された作動体４４を動かし、作動体４４が図１のａ図における開閉体２６を開放し、可変入賞部品１４が遊技基盤２の前側から球を入賞可能な形態に開放される。
【００２０】
開閉体２１が開放された状態において、球が遊技基盤２の前側から可変入賞部品９に入賞すると、当該球が電気を使用しない機械的な機構により構成された開閉体２１を閉鎖し、可変入賞部品９が球の入賞不可能な形態に閉鎖される。開閉体２１を閉鎖した球は、遊技盤１の裏側に排出されて球通路３７を落下する。球通路３７を落下する球が電気を使用しない機械的な機構により構成された作動体４５を動かし、作動体４５が図１のａ図における開閉体２７を開放し、可変入賞部品１５が遊技基盤２の前側から球を入賞可能な形態に開放される。
【００２１】
つまり、特定入賞部品３は、４個の可変入賞部品１２乃至１５を球の入賞可能な形態に開放するきっかけを作る、特定入賞口としても機能する。
【００２２】
図２を参照し、パチンコ遊技機について説明する。パチンコ遊技機は、遊技機枠６２の内部に遊技盤１を交換可能に格納した形態である。遊技機枠６２は、固定枠６３の前側に可動枠６４を開閉可能に備え、可動枠６４の前側に前扉６５および皿構造体６６を開閉可能に備える。固定枠６３は、遊技機設置構造体に取り付けるための外枠とも呼ばれる。遊技機設置構造体は、遊技店のパチンコ遊技機を設置する島とも呼ばれる設備である。可動枠６４は、遊技盤１、球発射機構６７、図外の球払出機構など遊技に必要な部品を取り付ける前枠とも呼ばれる。球払出機構は、可動枠６４の裏部に設けられる。前扉６５は、パネル枠とも呼ばれ、前後方向に貫通する窓６８を備える。窓６８は、前面パネル６９で塞がれる。前面パネル６９は、光透過性の有る無色なガラスのような板状の部材により構成され、前扉６５の裏面に設けられる。皿構造体６６の前面には、球受皿部７０および球発射操作機構７１が設けられる。
【００２３】
遊技基盤２の前面には、遊技領域７２が設けられる。遊技領域７２は、遊技基盤２の前面の内ガイドレール７３および外ガイドレール７４で囲まれた部分である。遊技領域７２の左側には、球発射通路７５が接続される。球発射通路７５は、内ガイドレール７３の左側部と外ガイドレール７４の左側部との間の隙間によって形成される。遊技領域７２には、特定入賞部品３、可変入賞部品４乃至１５、アウト口７６、球戻り防止弁７７、球反発体７８、遊技釘７９、図外の入賞部品が設けられる。
【００２４】
遊技盤１が遊技機枠６２に格納された場合、遊技領域７２は遊技機枠６２の前側から窓６８および前面パネル６９を経由して視認される。その状態において、遊技者が球受皿部７０にパチンコ球と呼ばれる球を入れ、遊技者が球発射操作機構７１を右回りに操作すると、球発射機構６７が球発射操作機構７１の操作量に応じた発射力で駆動し、球発射機構６７が球受皿部７０から遊技機枠６２の内部に取り込まれた球を１個ずつ球発射通路７５に向けて発射する。
【００２５】
球発射通路７５に発射された球は、球戻り防止弁７７を押し開けて遊技領域７２に到達する。遊技領域７２に到達した球は、遊技領域７２を流下する過程において、特定入賞部品３、可変入賞部品４乃至１５、図外の入賞部品、遊技釘７９などに衝突して、流れる方向を変えながら、特定入賞部品３や可変入賞部品４乃至１５および図外の入賞部品のいずれかに入って遊技基盤２の裏側に排出される。特定入賞部品３や可変入賞部品４乃至１５および図外の入賞部品のいずれにも入らないで、遊技領域７２の最下部に到達した球は、アウト口７６から遊技基盤２の裏側に排出される。
【００２６】
賞球については、特定入賞部品３に球が入賞しても、球払出機構が賞球を払い出さず、可変入賞部品４乃至１５および図外の入賞部品のいずれかに球が入賞するごとに、図外の球払出機構が賞球を払い出すようになっている。
【００２７】
図３を参照し、可変入賞部品８１の構造について説明する。可変入賞部品８１は、図１の可変入賞部品４乃至７に相当する。図３のａ図において、可変入賞部品８１は、球通過孔部８２および球入口部８３を備える。球通過孔部８２は、上方の遊技領域７２から球を取り入れて下方の遊技領域７２に排出するように、上下方向への貫通孔として構成される。球入口部８３は、球通過孔部８２の中間部から球を取り入れて遊技基盤２の裏側に排出するように、前後方向への貫通孔として備える。球入口部８３には、受止部８４が突起として設けられ、開閉体８５が開閉軸８６を中心として前後方向に回転可能に設けられる。
【００２８】
開閉体８５は、図１の開閉体１６乃至１９に相当する。開閉体８５には、錘８７、被受止部８８、閉鎖支持部８９が設けられる。錘８７は、開閉体８５の開閉軸８６よりも一端部の側に位置し、開閉体８５の内部に埋め込まれる。被受止部８８は、開閉体８５の他端部から裏側に突出する突起として開閉体８５の他端部に設けられる。閉鎖支持部８９は、開閉体８５の開閉軸８６と被受止部８８との間における一側部から裏側に突出する突起として開閉体８５の開閉軸８６と被受止部８８との間における一側部に設けられる。
【００２９】
錘８７の重さと開閉体８５の開閉軸８６から一端部までの重さとを合計した重さは、開閉体８５の開閉軸８６から他端部までの重さと被受止部８８の重さと閉鎖支持部８９の重さとを合計した重さよりも重く、開閉体８５の開閉軸８６から他端部までの重さと被受止部８８の重さと閉鎖支持部８９の重さとを合計した重さと１個の球の重さとを合計した重さよりも軽い。このため、開閉体８５が開閉軸８６で球入口部８３に取り付けられ、開閉体８５に回転を阻止する力が作用しない状態では、開閉体８５の一端部が開閉軸８６を中心として前側に回転して球入口部８３から前側の球通過孔部８２に突出し、被受止部８８が受止部８４の下面に下側から受け止められ、開閉体８５の一端部がそれ以上前側に回転しないように静止される。これによって、開閉体８５が後側から前側に開放されて前傾姿勢になり、球を球通過孔部８２から球入口部８３に取り入れることが可能になる。
【００３０】
図３のａ図に示すように、開閉体８５が前側に開放した状態において、球Ｐが矢印Ｘ１で示すように遊技領域７２から球通過孔部８２に取り込まれた場合、当該球Ｐは開閉体８５における球通過孔部８２に突出した一端部の裏面の上を前側から後側に転がる。この後側に転がった球Ｐが球入口部８３を経由して開閉軸８６を後側に越えて被受止部８８に受け止められる。
【００３１】
そして、図３のｂ図に示すように、開閉体８５の一端部が開閉軸８６を中心として下から上に回転し、開閉体８５の他端部が開閉軸８６を中心として上から下に回転して球入口部８３の下壁に受け止められ、開閉体８５の他端部がそれ以上前側に回転しないように静止される。これによって、開閉体８５が前側から後側に閉鎖されて立ち上がって球入口部８３を閉鎖した姿勢になり、球入口部８３に球を入れることが不可能になる。その後、被受止部８８に受け止められた球Ｐは、被受止部８８から矢印Ｘ２で示す下方に落下して遊技基盤２の裏側に排出されて球通路９０に取り込まれる。球通路９０は、図１の球通路３５または球通路３４に相当する。９１は部品逃避孔である。部品逃避孔９１は、球入口部８３を逃げるために、遊技基盤２に前後方向への貫通孔として設けられる。
【００３２】
図４を参照し、連動入賞機構３０の構造について説明する。図４のａ図において、連動入賞機構３０の閉鎖支持体５５は、遊技基盤２の裏面に対し支持軸９２を中心として上下方向に回転可能に構成され、アーム９３を備える。連動入賞機構３０の閉鎖支持体５６は、遊技基盤２の裏面に対し支持軸９４を中心として上下方向に回転可能に構成され、アーム９５を備える。可変入賞部品６に対応する開閉体８５は、閉鎖支持部８９を昇降籠２８の側に配置する。可変入賞部品７に対応する開閉体８５は、閉鎖支持部８９を可変入賞部品６に対応する開閉体８５の側に配置する。
【００３３】
閉鎖支持体５５が遊技基盤２の裏面に対し取り付けられ、閉鎖支持体５５に回転を阻止する力が作用しない状態では、閉鎖支持体５５が支持軸９２を中心として上方に回転し、アーム９３が支持軸９２を中心として下方に回転するように、閉鎖支持体５５およびアーム９３の重量が配分されている。
【００３４】
閉鎖支持体５６が遊技基盤２の裏面に対し取り付けられ、閉鎖支持体５６に回転を阻止する力が作用しない状態では、閉鎖支持体５６が支持軸９４を中心として上方に回転し、アーム９５が支持軸９４を中心として下方に回転するように、閉鎖支持体５６およびアーム９５の重量が配分されている。
【００３５】
連動入賞機構３０の動作について説明する。図４のａ図に示すように、球が昇降籠２８に搭載しておらず、昇降籠２８が上昇限度位置に停止し、可変入賞部品６；７に対応する２つの開閉体８５が閉鎖した場合、アーム９３；９５がレバー５４の他端部に上から接触してレバー５４の他端部で支持され、閉鎖支持体５５が可変入賞部品６に対応する開閉体８５における閉鎖支持部８９に上から接触し、閉鎖支持体５６が可変入賞部品７に対応する開閉体８５における閉鎖支持部８９に上から接触する。これによって、開閉体８５の錘８７の重さで前側に開放しようとする動作が阻止され、開閉体８５の閉鎖が確保される（図３のｂ図参照）。
【００３６】
開閉体８５の閉鎖が確保された状態において、図４のｂ図に示すように、球Ｐが特定入賞部品３から昇降籠２８に搭載されると、昇降籠２８が球Ｐの重さによって矢印Ｘ３で示す方向に下降して下降限度位置に停止する。このように昇降籠２８が上昇限度位置から下降限度位置に下降する過程において、レバー５４の他端部がアーム９３；９５を持ち上げ、閉鎖支持体５５が可変入賞部品６に対応する開閉体８５における閉鎖支持部８９から外れ、閉鎖支持体５６が可変入賞部品７に対応する開閉体８５における閉鎖支持部８９から外れる。これによって、開閉体８５が錘８７（図４のａ図参照）の重さで開閉軸８６を中心として前側に開放する。
【００３７】
その後、図４のｃ図に示すように、球Ｐが昇降籠２８の球出口４９から矢印Ｘ４で示す下方に落下し、昇降籠２８が図外のばねの弾性または錘の重さで下降限度位置から矢印Ｘ５で示す上方に上昇し、レバー５４の他端部が下降するのに伴い、アーム９３が支持軸９２を中心として下方に回転し、閉鎖支持体５５が支持軸９２を中心として上方に回転して可変入賞部品６に対応する閉鎖支持部８９の側面に衝突し、アーム９５が支持軸９４を中心として下方に回転し、閉鎖支持体５６が支持軸９４を中心として上方に回転して可変入賞部品７に対応する閉鎖支持部８９の側面に衝突する。
【００３８】
これによって、閉鎖支持体５５およびアーム９３の支持軸９２を中心とする下方への回転が阻止され、閉鎖支持体５６およびアーム９５の支持軸９４を中心とする下方への回転が阻止され、開閉体８５が開放され（図３のａ図参照）、レバー５４の他端部がアーム９３；９５から外れて下降する。そして、昇降籠２８およびレバー５４の一端部が上昇限度位置に停止し、レバー５４の他端部が下降限度位置に停止する。
【００３９】
可変入賞部品６；７に対応する開閉体８５が開放された状態においては、可変入賞部品６；７が球の入賞によって個別に閉鎖する。先ず、可変入賞部品６に球が入賞した場合について説明し、次に、可変入賞部品７に球が入賞した場合について説明する。
【００４０】
先ず、可変入賞部品６に球が入賞する場合、図４のｃ図に示すように可変入賞部品６に対応する開閉体８５が開放された状態において、図３のａ図からｂ図に示すように球Ｐが遊技領域７２から開閉体８５の上に搭載され、図４のｃ図に示す可変入賞部品６に対応する開閉体８５が図３のｂ図に示すように閉じられた場合、図４のｃ図に示す閉鎖支持体５５と閉鎖支持部８９との衝突した状態が解除される。
【００４１】
それに伴い、図４のａ図に示すように、アーム９３が支持軸９２を中心として下方に回転してレバー５４の他端部の上に接触してレバー５４の他端部で受け止められ、閉鎖支持体５５が支持軸９２を中心として上方に回転して可変入賞部品６に対応する閉鎖支持部８９の上に突出する。
【００４２】
その後、図３のｂ図に示す球Ｐが開閉体８５から矢印Ｘ２の方向に落下するのに伴い、開閉体８５の一端部が錘８７の重さで開閉軸８６を中心として前側に回転し、図４のｃ図に示す閉鎖支持体５５が可変入賞部品６；７に対応する閉鎖支持部８９の上に接触する。これによって、図４のａ図に示すように可変入賞部品６に対応する開閉体８５の閉鎖が確保される。
【００４３】
次に、可変入賞部品７に球が入賞する場合、図４のｃ図に示すように可変入賞部品７に対応する開閉体８５が開放された状態において、図３のａ図からｂ図に示すように球Ｐが遊技領域７２から開閉体８５の上に搭載され、図４のｃ図に示す可変入賞部品７に対応する開閉体８５が図３のｂ図に示すように閉じられた場合、図４のｃ図に示す閉鎖支持体５６と閉鎖支持部８９との衝突した状態が解除される。
【００４４】
それに伴い、図４のａ図に示すように、アーム９５が支持軸９４を中心として下方に回転してレバー５４の他端部の上に接触してレバー５４の他端部で受け止められ、閉鎖支持体５６が支持軸９４を中心として上方に回転して可変入賞部品７に対応する閉鎖支持部８９の上に突出する。
【００４５】
その後、図３のｂ図に示す球Ｐが開閉体８５から矢印Ｘ２の方向に落下するのに伴い、開閉体８５の一端部が錘８７の重さで開閉軸８６を中心として前側に回転し、図４のｃ図に示す閉鎖支持体５６が可変入賞部品７に対応する閉鎖支持部８９の上に接触する。これによって、図４のａ図に示すように可変入賞部品７に対応する開閉体８５の閉鎖が確保される。
【００４６】
図５を参照し、可変入賞部品１０１の構造について説明する。可変入賞部品１０１は、図１の可変入賞部品８乃至１５に相当する。図５のｄ図において、可変入賞部品１０１は、球通過孔部１０２および球入口部１０３を備える。球通過孔部１０２は、上方の遊技領域７２から球を取り入れて下方の遊技領域７２に排出するように、上下方向への貫通孔として構成される。球入口部１０３は、球通過孔部１０２の中間部から球を取り入れて遊技基盤２の裏側に排出するように、前後方向への貫通孔として備える。球通過孔部１０２には、開閉体１０４および傘部１０５が設けられる。開閉体１０４は、図１の開閉体２０乃至２７に相当する。
【００４７】
図５のａ図に示すように、開閉体１０４は、球入口部１０３の左右両側で、開閉軸１０６を中心として左右方向に回転可能に設けられる。開閉体１０４には、錘１０７が設けられる。錘１０７は、開閉体１０４の開閉軸１０６よりも外側下部に位置し、開閉体１０４の内部に埋め込まれる。開閉体１０４が開閉軸１０６で球通過孔部１０２に取り付けられ、開閉体１０４に回転を阻止する力が作用しない状態では、左の開閉体１０４の一端部が錘１０７の重さで開閉軸１０６を中心として左側に回転し、右の開閉体１０４の一端部が錘１０７の重さで開閉軸１０６を中心として右側に回転して、左右の開閉体１０４が開放されて斜め姿勢になり、球を球通過孔部１０２から球入口部１０３に取り入れることが可能になる。傘部１０５は、開閉体１０４が閉じた場合において、球が開閉体１０４の間から球入口部１０３の側に取り込まれることがないように、球入口部１０３への球の入賞を阻止するものである。
【００４８】
図５のｄ図に戻り、球入口部１０３には、作動体１０８および保持体１０９が設けられる。作動体１０８は、開閉体１０４を開閉するための部材を構成するものであって、作動軸１１０を中心として上下方向に回転可能に構成される。作動体１０８が作動軸１１０で球入口部１０３に取り付けられ、作動体１０８に回転を阻止する力が作用しない状態では、作動体１０８における作動軸１１０よりも前半部が作動軸１１０よりも後半部よりも重いという、作動体１０８の重量配分によって、作動体１０８の前半部が作動軸１１０を中心として下方に回転可能になる。
【００４９】
作動体１０８には、上球排出部１１１、下球排出部１１２、永久磁石１１３を備える。上球排出部１１１は、遊技基盤２の裏側で上球排出部１１１の上方から落下した球を受け止めて左右の一側方に排出するような斜面として、作動体１０８の後上部に形成される。下球排出部１１２は、開いた開閉体１０４の間から開閉体１０４を閉じて下方に落下した球を、球入口部１０３から裏側に誘導するものであって、作動体１０８の下部に形成される。保持体１０９は、永久磁石１１３を吸着する強磁性材により構成される。
【００５０】
図５のａ図に示すように、左右の開閉体１０４が閉じられた場合、開閉体１０４の開閉軸１０６よりも下部と作動体１０８とが互いに左右方向で対向して接触し、開閉体１０４が開放されないうえ、開閉体１０４の上部が傘部１０５と左右方向で対向し、球が開閉体１０４の間から球通過孔部１０２の側に取り込まれない。このように開閉体１０４が閉じられた状態において、図５のｃ図に示すように、球が矢印Ｘ６で示すように作動体１０８の後部に落下すると、作動体１０８の前部が作動軸１１０を中心として矢印Ｘ７で示す上方に回転し、永久磁石１１３が図５のｄ図に示すように保持体１０９に吸着される。
【００５１】
上記作動体１０８の前部が上方に回転するのに伴い、図５のｂ図に示すように、開閉体１０４の開閉軸１０６よりも下部と作動体１０８との接触が解除され、開閉体１０４が錘１０７の重さによって開閉軸１０６を中心として左右に開く。開閉体１０４が開放されると、開閉体１０４の下部間の間隔Ｈ１は、１個の球Ｐの直径Ｄ１よりも小さい（Ｈ１＜Ｄ１）。このように開閉体１０４が開いた状態において、球が開閉体１０４の間に入って開閉体１０４の下部に到達すると、球が開閉体１０４の下部を押し下げ、開閉体１０４が図５のａ図に示すように開閉軸１０６を中心として閉じる。
【００５２】
これに伴い、図５のａ図に示すように、開閉体１０４の下部が互いに離れる。この離れた開閉体１０４の下部間の間隔が、１個の球Ｐ（図５のｂ図参照）の直径よりも大きくなる。したがって、図５のｄ図に示すように、球Ｐが開閉体１０４の下部の間を落下して下球排出部１１２の前部に受け止められる。すると、下球排出部１１２に受け止められた球の重さによって、保持体１０９と永久磁石１１３との吸着が解除され、作動体１０８の前部が作動軸１１０を中心として矢印Ｘ８で示す下方に回転する。その後、下球排出部１１２に受け止められた球は、下球排出部１１２から遊技基盤２の裏側の球通路１１４に排出される。球通路１１４は、図１の球通路３３乃至３７のいずれかに相当する。部品逃避孔１１５は、球入口部１０３を逃げるために、遊技基盤２に前後方向への貫通孔として設けられる。
【００５３】
図６を参照し、連動入賞機構３１；３２の動作について説明する。先ず、図６のａ図に示すように、レバー５８の一端部が図外のばねの弾性または錘の重さによってレバー軸５９（図６のｃ図参照）を中心として上方に回転して上昇限度位置に停止し、レバー６０の一端部が図外のばねの弾性または錘の重さによってレバー軸６１（図６のｃ図参照）を中心として上方に回転して上昇限度位置に停止した状態において、球Ｐが昇降籠２８に取り込まれる。次に、図６のｂ図に示すように、昇降籠２８が球Ｐの重さで矢印Ｘ９の方向に下降して球通路３３の上部に到達する。
【００５４】
その後、図６のｃ図において、球Ｐが矢印Ｘ１０で示すように昇降籠２８からレバー５８の一端部の上に落下すると、昇降籠２８が矢印Ｘ１１の方向に上昇し、レバー５８の一端部が球Ｐの重さによってレバー軸５９を中心として矢印Ｘ１２で示す下方に回転する。したがって、レバー５８が作動体３８を押し下げ、図１の可変入賞部品の開閉体２０が開く。
【００５５】
前記レバー５８の下方への回転に伴い、球Ｐが矢印Ｘ１３で示すようにレバー５８の一端部からレバー６０の側に落下し、図６のｄ図に示すように、球Ｐがバー６０の一端部の上に落下すると、レバー５８の一端部が図外のばねの弾性または錘の重さによってレバー軸５９を中心として矢印Ｘ１４で示す上方に回転して上昇限度位置に停止し、レバー６０の一端部が球Ｐの重さによってレバー軸６１を中心として矢印Ｘ１５で示す下方に回転する。したがって、レバー６０が作動体３９を押し下げ、図１の可変入賞部品９の開閉体２１が開く。
【００５６】
そして、球Ｐが矢印１６に示すようにレバー６０の一端部から球通路３３に落下する。球Ｐがレバー６０の一端部から球通路３３に落下するのに伴い、レバー６０の一端部が図外のばねの弾性または錘の重さによってレバー軸６１を中心として矢印Ｘ１７で示す上方に回転して上昇限度位置に停止する。
【産業上の利用可能性】
【００５７】
図７は、発明を実施するための異なる第１形態に係る遊技盤１の裏面を示す。図７において、可変入賞部品４；５が可変入賞部品６；７よりも下部に位置するように、可変入賞部品４；５と可変入賞部品６；７とが上下に分かれて遊技基盤２に設けられる。連動入賞機構２９の一端部が連動入賞機構３０の一端部よりも下部に位置するように、連動入賞機構２９；３０の一端部が昇降籠２８に回転可能に連結される。よって、可変入賞部品４；５と可変入賞部品６；７とが特定入賞部品３を境として遊技基盤２における図２の遊技領域７２において上下に分かれて設けることができるという利点がある。この場合、可変入賞部品４；５が可変入賞部品６；７よりも上部に位置するように、可変入賞部品４；５と可変入賞部品６；７とが上下に分かれてもよい。また、可変入賞部品４；５の個数および可変入賞部品６；７の個数は、１個ずつであってもよい。
【００５８】
図８は、発明を実施するための異なる第３形態に係る遊技盤１の裏面を示す。図８において、または、可変入賞部品４；５が特定入賞部品３よりも上部で特定入賞部品３の真上に位置し、可変入賞部品６；７が特定入賞部品３よりも下部で特定入賞部品３の真下に位置するように、可変入賞部品４；５と可変入賞部品６；７とが上下に分かれて遊技基盤２に設けられる。
【００５９】
連動入賞機構２９がレバー１１６；１１７を備える。レバー１１６は、遊技基盤２の裏面に対し、レバー軸５３を中心として上下方向に回転可能に構成される。レバー１１６の一端部は、昇降籠２８の上部に回転可能に連結される。レバー１１７は、遊技基盤２の裏面に対し、遊技基盤２およびレバー１１７にわたり設けられた図外の溝と突起との嵌め合いからなる案内機構によって昇降可能に構成される。レバー１１７の下端部がレバー１１６の他端部に回転可能に連結される。
【００６０】
連動入賞機構３０がレバー１１８；１１９を備える。レバー１１８は、遊技基盤２の裏面に対し、レバー軸５７を中心として上下方向に回転可能に構成される。レバー１１８の一端部は、昇降籠２８の下部に回転可能に連結される。レバー１１９は、遊技基盤２の裏面に対し、遊技基盤２およびレバー１１９にわたり設けられた図外の溝と突起との嵌め合いからなる案内機構によって昇降可能に構成される。レバー１１９の下端部がレバー１１８の他端部に回転可能に連結される。
【００６１】
よって、可変入賞部品４；５と可変入賞部品６；７とが特定入賞部品３を境として遊技基盤２における図２の遊技領域７２において上下に分かれて設けることができるという利点がある。この場合、可変入賞部品４；５が可変入賞部品６；７よりも上部に位置するように、可変入賞部品４；５と可変入賞部品６；７とが上下に分かれてもよい。
【００６２】
最良の形態、異なる第１形態、異なる第２形態に示すように、複数の連動入賞機構２９；３０が昇降籠２８に連結されたことによって、複数の可変入賞部品４乃至７を特定入賞部品３の横、上、下に設けることができるという利点がある。
【００６３】
各実施の形態において、可変入賞部品４；５の個数および可変入賞部品６；７の個数は、１個ずつであってもよい。昇降籠２８の昇降で動作する連動入賞機構２９；３０は、１個または３個以上であってもよい。連動入賞機構２９；３０は、１つの可変入賞口部品の開閉体を個別に開閉するようにしてもよい。
【図面の簡単な説明】
【００６４】
【図１】ａ図は遊技盤の正面の模式図、ｂ図は遊技盤の裏面の模式図（最良の形態）。
【図２】パチンコ遊技機の正面図（最良の形態）。
【図３】ａ図およびｂ図は可変入賞部品の縦断面図（最良の形態）。
【図４】ａ図乃至ｃ図は連動入賞機構の作用説明図（最良の形態）。
【図５】ａ図乃至ｄ図は別の可変入賞部品の内部構造図（最良の形態）。
【図６】ａ図乃至ｅ図は別の連動入賞機構の作用説明図（最良の形態）。
【図７】連動入賞機構の模式図（異なる第１形態）。
【図８】連動入賞機構の模式図（異なる第２形態）。
【符号の説明】
【００６５】
１    遊技盤、２    遊技基盤、３    特定入賞部品、４    可変入賞部品、
５    可変入賞部品、６    可変入賞部品、７    可変入賞部品、１６  開閉体
１７  開閉体、１８  開閉体、１９  開閉体、２８  昇降籠、２９  連動入賞機構
３０  連動入賞機構
【図１】
2007312946.tif 000003
【図２】
2007312946.tif 000004
【図３】
2007312946.tif 000005
【図４】
2007312946.tif 000006
【図５】
2007312946.tif 000007
【図６】
2007312946.tif 000008
【図７】
2007312946.tif 000009
【図８】
2007312946.tif 000010